(57)【要約】本発明は、顧客ご自身の情報を広告主に露出していない状態で、広告カタログ情報を収集することができるデジタル鑑定器を利用した情報収集システム及びその方法に関するものである。本発明は、機器自体の固有の番号が付与されており、タグの情報を読み取る届けカードリーダー；顧客の個人の登録情報とデジタル広告情報を受領するための受信方法の情報とマッチングすることができる個人識別符号が入力されているＲＦＩＤカード；会員登録に必要な顧客の個人情報（例えば性別、電話番号、電子メール、ＳＮＳなど）と顧客の識別符号（ＩＤ、Ｐ  ／  Ｗ）をデジタル情報提供サーバに登録するための顧客端末；顧客への広告情報を提供するために会員登録に必要な広告主の個人情報（たとえば、電話番号、住所、電子メールなど）、広告主の識別符号（ＩＤ、Ｐ  ／  Ｗ）と、前記カードリーダーの固有番号、広告主が所有している広告情報の内容を識別符号（ＩＤ、Ｐ  ／  Ｗ）化してデジタル情報提供サーバに登録し、広告情報コンテンツをデジタル情報提供サーバにアップロードして、広告情報の送出費用を上記デジタル情報提供サーバに獲得するための広告端末；上記カードリーダー自体に付与された識別番号、ＲＦＩＤカードの識別番号は、顧客の個人の身上情報（性別、電話番号、電子メール、ＳＮＳなど）は、顧客の識別符号（ＩＤ、Ｐ  ／  Ｗ）、広告情報に付与された識別符号（ＩＤ、Ｐ  ／  Ｗ）、広告（個人、法人）の個人情報、広告主の識別符号（ＩＤ、Ｐ  ／  Ｗ）、広告情報の識別符号と、広告コンテンツのインデックステーブルをマッチングさせるための広告コンテンツのマッチングテーブルと広告コンテンツを格納するデータベース（ＤＢ）；前記顧客と広告主の識別コード、カードリーダーの一意の番号と広告情報の識別符号を登録されて、顧客にＲＦＩＤカードの固有番号を登録し、上記顧客がカードリーダーにＲＦＩＤカードを接触することにより、カードリーダーの固有番号、広告情報の識別コード、ＲＦＩＤカード番号と個人識別コードを入力受けて、データベース（ＤＢ）から顧客の識別符号を要求して、前記カードリーダーで提供されるＲＦＩＤカード固有の番号と個人識別符号とのマッチングするかどうかを確認で、また、広告情報識別符号に対応する広告情報をデータベースから呼び込ま顧客に提供し、広告主が獲得した金額を課金するデジタル情報提供サーバを含むデジタルリーダーを利用した情報収集システムおよび方法を提供する。
2021501952.tif 000002
【特許請求の範囲】
【請求項１】
機器自体の固有の番号が付与されており、タグの情報を読み取る届けタグ情報読取手段と、機器自体の固有の番号を持っており、デジタル広告情報を受領するための個人識別情報が登録されているタグ情報入力手段；会員登録に必要な顧客の個人情報や顧客の識別符号（ＩＤ、Ｐ  ／  Ｗ）をデジタル情報提供サーバに登録するための顧客端末；顧客への広告情報を提供するために会員登録に必要な広告主の個人情報、広告主の識別符号（ＩＤ、Ｐ  ／  Ｗ）、前記タグ情報読取手段の固有番号、広告主が所有している広告情報の内容を識別符号（ＩＤ  、Ｐ  ／  Ｗ）化してデジタル情報提供サーバに登録し、広告情報コンテンツをデジタル情報提供サーバにアップロードして、広告情報の送出費用をデジタル情報提供サーバに獲得するための広告端末；上記タグ情報読取手段自体に付与された固有の番号、タグ情報の入力手段の固有番号は、顧客の個人情報は、顧客の識別符号（ＩＤ、Ｐ  ／  Ｗ）、広告情報に付与された識別符号（ＩＤ、Ｐ  ／  Ｗ）  、広告の個人情報、広告主の識別符号（ＩＤ、Ｐ  ／  Ｗ）、広告情報の識別符号と、広告コンテンツのインデックステーブルをマッチングさせるための広告コンテンツのマッチングテーブルと広告コンテンツを格納するデータベース（ＤＢ）；と上記の顧客と広告主の識別コード、タグ情報読取手段の固有番号と広告情報の識別符号を登録されて、顧客にタグ情報入力手段の固有番号を登録し、上記顧客がタグ情報読取手段のタグ情報入力手段を接触することにより、タグ情報読取手段の固有番号と、前記タグ情報読取手段に登録された広告情報の識別符号とタグ情報入力手段の固有番号は、顧客の識別コードを入力受けて、データベース（ＤＢ）から顧客情報リストを要求して、前記タグ情報読取手段で提供されるタグ情報の入力手段の固有番号と顧客の識別符号とのマッチングするかどうかを確認し、広告情報の識別符号に一致する広告情報をデータベースから呼び込ま顧客に提供し、広告主が獲得した金額を課金するデジタル情報提供サーバを含むデジタルリーダーを利用した情報収集システム。
【請求項２】
第１項において、上記顧客が会員登録要請時のタグ情報入力手段の一意の番号を割り当てることにより、デジタル情報提供サーバに登録するためのタグ情報入力手段登録リーダーをさらに含む、デジタルリーダーを利用した情報収集システム。
【請求項３】
第１項において、上記タグ情報入力手段の位置情報をデジタル情報提供サーバに提供するための地球位置把握システム（ＧＰＳ）をさらに含むことを特徴とするデジタル鑑定器を利用した情報収集システム。
【請求項４】
第１項において、デジタル情報読取手段は、ＲＦＩＤリーダ、近距離無線通信（ＮＦＣ：Ｎｅａｒ  Ｆｉｅｌｄ  Ｃｏｍｍｕｎｉｃａｔｉｏｎ）リーダー、バーコードリーダー、ＱＲコードリーダー、虹彩認証システム、または指紋リーダー、ホログラムリーダの選択された一つであることを特徴とするデジタル鑑定器を利用した情報収集システム。
【請求項５】
第４項において、上記タグ情報入力手段は、ＲＦＩＤカード、近距離無線通信（ＮＦＣ：Ｎｅａｒ  Ｆｉｅｌｄ  Ｃｏｍｍｕｎｉｃａｔｉｏｎ）、バーコード、ＱＲコード、虹彩、指紋、ホログラムの選択された一つであることを特徴とするデジタル鑑定器を利用した情報収集システム。
【請求項６】
第１項から第５項のいずれか１項に記載、上記デジタル情報提供サーバは、広告主端末から広告依頼を受け付けて広告主会員を登録する広告会員登録簿；上記広告会員登録簿に、広告主は会員登録が完了した後、広告を提供するための手数料を課金するために、広告獲得金額を要求している金額を獲得部；上記の金額を獲得部を通じて積立金を実行するかが確認された後、広告情報の識別符号（ＩＤ、Ｐ  ／  Ｗ）とそれに対応する広告情報コンテンツをアップロードするためのコンテンツのアップロード部；上記タグ情報入力手段をタグ情報読取手段にタッチすることにより、上記のデータベースに格納された顧客の識別符号とタグ情報読取手段を介して受信されたタグ情報入力手段の固有番号と個人識別符号のマッチングするかどうかを確認し、ＤＢに格納された広告コンテンツのマッチングテーブルとタグ情報読取手段の固有番号、広告情報の識別符号をマッチングするかどうかを確認するマッチング部と、上記マッチング部を通じてマッチングするかどうかが確認されると、データベースの広告コンテンツマッチングテーブルから要求された広告情報コンテンツを呼び込み、顧客に送信する広告コンテンツ配信部；顧客の会員登録要求に応じて会員登録を行う顧客の会員登録簿；顧客の会員登録時のタグ情報入力手段の固有番号を登録し、タグ情報入力手段登録リーダーを介して顧客端末に提供された認証番号とタグ情報入力手段固有の番号をマッチングさせ登録するタグ情報入力手段登録簿；顧客がタグ情報の入力手段をタグ情報読取手段にタッチして、ダウンロードした広告情報を保存し、情報流ごとに分類するダウンロードリストを保存部；広告主と顧客の会員登録時付与された識別符号（ＩＤ、Ｐ  ／  Ｗ）、タグ情報入力手段固有番号、タグ情報読取手段固有番号、広告情報の識別符号と広告情報識別符号に対応する広告コンテンツをインデックス化した広告コンテンツマッチングテーブルをデータベースに保存し、タグ情報読取手段から提供されたタグ情報入力手段固有の番号、個人識別符号とタグ情報読取手段の固有番号、広告情報の識別コードを受信し、データベースに格納された顧客の識別符号とのマッチングするかどうかを確認して、顧客に広告情報を送信するための一連の制御手順を実行する中央制御装置；と上記広告情報は、顧客に送信されると、中央制御装置から課金コマンドを実行するための課金部を含むデジタルリーダーを利用した情報収集システム。
【請求項７】
第６項において、上記デジタル情報提供サーバは、上記タグ情報入力手段をタグ情報読取手段のタッチしたときにカウントして、広告主端末に知らせるアラーム部をさらに含んでいる、デジタルリーダーを利用した情報収集システム。
【請求項８】
顧客端末を介してデジタル情報提供サーバに個人会員情報登録を申請する第１段階；顧客の会員情報登録時の広告情報の受け取り方法を選択して、デジタル情報提供サーバに登録する第２段階；顧客の個人会員情報登録時のタグ情報登録手段固有番号をデジタル情報提供サーバに登録する第３段階；広告主端末を介してデジタル情報提供サーバに広告主会員情報登録を申請し、広告を依頼して、広告の量を獲得する第４段階と、顧客が所持しているタグ情報の入力手段をタグ情報読取手段にタッチすると、上記タグ情報毒取水短期に入力されていたタグ情報読取手段の固有番号と広告情報の識別符号とタグ情報入力手段固有の番号や個人識別符号がデジタル情報提供サーバに入力され、前記デジタル情報提供サーバは、ＤＢに格納された顧客情報とタグ情報入力手段固有番号と個人識別符号が一致するかどうかを判断する第５段階；と前記第５のステップでは、顧客情報とタグ情報の入力固有の番号が一致すると、広告コンテンツファイルを、顧客が指定したリポジトリに転送する第６ステップを含む、デジタルリーダーを利用した情報収集方法。
【請求項９】
第８項において、第１のステップは、顧客は、モバイル端末を使用する場合、会員登録アプリをダウンロードしてから会員情報の登録を行い、ＰＣ（Ｐｅｒｓｏｎａｌ  Ｃｏｍｐｕｔｅｒ）を利用する場合には、サーバに接続して会員情報登録を行う第１のプロセス；顧客の会員情報登録時の顧客端末に提供された認証番号のマッチングされるタグ情報入力手段固有の番号をタグ情報入力手段登録リーダーに入力する第２のプロセス；と上記タグ情報入力手段登録リーダーから提供されたタグ情報入力手段固有の番号をデジタル情報提供サーバに登録して、データベースに格納する第３の過程を含むことを特徴とするデジタル鑑定器を利用した情報収集方法。
【請求項１０】
第８項において、前記第３のステップは、管理専用のプログラムをダウンロードして、それを実行して、カタログの受け取り方法を決定し、上記カタログ受領方法は、電子メール、ＳＮＳ、ウィジェットのプログラムの選択されたストアに受領されるように、受信パスを指定することを特徴とするデジタル鑑定器を利用した情報収集方法。
【請求項１１】
第８項において、上記４つのステップは、広告主端末を介してデジタル情報提供サーバに広告依頼後、広告情報コンテンツについての識別符号（ＩＤ、Ｐ  ／  Ｗ）を付与する第４過程；上記広告情報コンテンツの識別符号（ＩＤ、Ｐ  ／  Ｗ）とタグ情報読取手段に付与された固有の番号をデジタル情報提供サーバに登録する第５過程；と広告料で消費される量を獲得し、広告情報コンテンツをアップロードする第６の過程を含むことを特徴とするデジタル鑑定器を利用した情報収集方法。
【請求項１２】
第８項において、前記第５のステップは、顧客からの会員登録要求に応じてＩＤとＰＷを受信して会員登録を処理し、会員情報（ＩＤ  ／  ＰＷ）をＤＢに格納する第７過程；顧客の会員登録が完了すると、タグ情報入力手段一意の番号を割り当て、顧客から提供される認証番号のタグ情報入力手段の固有番号をマッチングさせてサーバに登録する第８過程；上記広告主端末から登録要求されたタグ情報読取手段の識別符号の登録処理を完了し、広告主がアップロードされた広告コンテンツをＤＢに格納する第９過程；顧客がタグ情報読取手段のタグ情報の入力手段をタッチすると、上記タグ情報読取手段は、自分の固有番号と、広告情報に付与された識別コード、タグ情報入力手段固有番号と個人識別コードをサーバに送信第１０過程；受信されたタグ情報入力手段固有番号と個人識別符号と、顧客情報のマッチングするかどうかを確認してマッチングされると、広告コンテンツのマッチングテーブルから広告コンテンツファイルを確認して、広告コンテンツを、顧客が指定したリポジトリに送信し、広告コンテンツファイルが存在しない場合には、タグ情報読取手段の広告サービス終了文字を送信する第１１過程；と顧客のタッチ回数のカウントを行って、広告主の預金でタッチに付与された料金だけ差し引かれる第１２過程をさらに含むことを特徴とするデジタル鑑定器を利用した情報収集方法。
【請求項１３】
第１２項において、上記タグ情報読取手段の残高をチェックするかどうかを判断し、設定金額が不足している場合は、タグ情報読取手段にアラームを発生させ、広告主に追加入金が必要な情報を提供する第１３過程をさらに含むことを特徴とするデジタルリーダーを利用した情報収集方法。
【請求項１４】
第１２項において、前記第１０過程では、サーバは、クライアントＩＤとタグ情報入力手段固有番号のマッチングするかどうか確認した後、顧客が希望する受信形態を確認して送信する過程をさらに含むことを特徴とするデジタル鑑定器を利用した情報収集方法。
【請求項１５】
第８項において、前記第６のステップを実行した後、カードリーダーにタッチされた回数をカウントして、広告主端末に送信する第７ステップをさらに含む、デジタルリーダーを利用した情報収集方法。
【請求項１６】
第１５項において、前記第７のステップは、広告主端末にアラームでタッチ回数に転送する第８のステップをさらに含む、デジタルリーダーを利用した情報収集方法
【発明の詳細な説明】
【技術分野】
【０００１】
本発明は、顧客ご自身の固有番号情報が含まれているＲＦＩＤカード、ＱＲコード（登録商標）などのデジタルリーダーを利用して、製品や会社を紹介するために制作されているカタログ情報、広告チラシ、広報媒体や映画広報ビデオ、各種動画など（以下、「広告情報」と称する）を収集することができる情報収集システム及び方法に関するもので、より詳細には、顧客が自分の情報を広告主に露出させなくても、頻繁に広告情報を受信することができるようにして、印刷媒体を大幅に減少させることができ、顧客の個人がダウンロードした広告情報の検索と閲覧を容易にすることができるデジタル認識器を利用した情報収集システム及び方法に関するものである。
【背景技術】
【０００２】
一般的に、製品や会社を知らせる手段としての広告はどのような形であれ、メディアを介して配信され、媒体の発達と多様化は、さまざまな形式の広告を生んでいる。このように、メディアの発達と拡張は、広告の洪水を起こしており、媒体が多様化先端化されているとしても、印刷媒体は、まだ独自の機能を担っている。印刷媒体は、どの媒体より信頼性の高い媒体とされてきた印刷広告も印刷媒体の利点を引き継ぐことができた。このような観点から、会社および製品情報を紹介するための手段でカタログの形の印刷物が多く使われており、このほかに各種公演、映画、イベント行事などを知らせるための媒体としては、Ａ４、Ａ３の用紙サイズのチラシ印刷物が利用されている。カタログは、企業のイメージや製品のイメージを顧客に直接示す面で広告効果が優れており、展示会、博覧会、セミナー、分譲オフィスなどで多く配布されている。これらのカタログは、顧客への製品の良いイメージを与えるため、ますます高級化されていっている傾向にある。しかし、カタログは、高解像度と高級素材の紙を使用して印刷するため、製作費用が高く、広告主に負担になっている。カタログ制作コストを削減するために、広告主は、最小量だけを印刷したいが、お探しの顧客が多く、コストの負担を抱えて大量生産をする場合が多く、印刷会社では、基本的な量で、高いコストを提示しており、カタログ制作による負担は常に存在する。特に、新規製品が開発されて追加情報をカタログに掲載させてこそする場合には、既存のカタログを廃棄処分し、新しいカタログを製作しなければなら問題がある。
【０００３】
顧客の立場で特定のメーカーの製品が刻印されるためには、カタログは主要な情報認識手段であるが、上記のカタログを１つの広告のみを認識しており、無料で受けるので大切に考えていない傾向があり、製作コストに比べて広告効果は大きくないだろう。会社の製品を宣伝するための印刷媒体以外の他の手段としては、比較的製作コストが安いチラシがある。これらのチラシは、ランダムに路上で配ったり、広告を掲載することができる一定の場所に備えて顧客に配布しているが、顧客が受けたくない傾向があり、広告の効果が大きくない問題がある。一方、情報通信技術（ＩＣＴ）の発達とともに、印刷媒体製作の弊害を防ぎ、カタログの制作コストを削減するために、広告印刷物をデジタル化した試みが多くあったが、特定の事例を除いては、顧客が自発的に電子カタログ情報をダウンロードする例は珍しく、また電子カタログを顧客に提供することも容易ではないので利用価値は大きくない問題点があった。
【０００４】
電子カタログを提供するためには、顧客の個人情報を必要とするが、広告の洪水の中に生活している顧客の立場で自分の情報を公開することに消極的であり、電子カタログの配布が難しいのが現状である。特に、無分別な広告が顧客の電子メール、ＳＮＳなどに入ってくると、広告性情報を忌避する現象が発生し、必ず受けたい広告も受けられない傾向がある。これらの問題により、顧客は、広告を受信するために、自分の情報を公開する負担があり、広告の受信を回避しているのが現状である。
【発明の概要】
【発明が解決しようとする課題】
【０００５】
したがって、本発明は、上記の諸問題点を解決するために提案されたものであり、顧客の情報を広告主に露出していない状態で、広告情報を収集することができるデジタル鑑定器を利用した情報収集システム及びその方法を提供することにその目的がある。また、本発明は、顧客がＲＦＩＤやＱＲコードなどのデジタルリーダーを利用して、広告主が提供したデジタル情報リーダーにタッチして、顧客が会員登録時に指定したアプリ、電子メール、アラーム、ファックス、ＳＮＳ（Ｓｏｃｉａｌ  Ｎｅｔｗｏｒｋ  Ｓｉｔｅｓ）などの受信方法で広告情報を受信することができ、受信された情報を、顧客が自分のホームページのサーバに分類されたフォルダに自動的に保存されるようにして、ダウンロードされた広告情報を簡単に検索して閲覧することができるデジタル鑑定器を利用した情報収集システムおよび方法を提供することに他の目的がある。
【課題を解決するための手段】
【０００６】
上記目的を達成するために、本発明は、機器自体の固有の番号が付与されており、タグの情報を読み取る届けタグ情報読取手段と、機器自体の固有の番号を持っており、デジタル広告情報を受領するための個人識別情報が登録されているタグ情報入力手段；会員登録に必要な顧客の個人情報（例えば、性別、電話番号、電子メール、ＳＮＳなど）と顧客の識別符号（ＩＤ、Ｐ  ／  Ｗ）をデジタル情報提供サーバに登録するための顧客端末；顧客への広告情報を提供するために会員登録に必要な広告主の個人情報（例えば、会社名、電話番号、住所、電子メールなど）、広告主の識別符号（ＩＤ、Ｐ  ／  Ｗ）、前記タグ情報読取手段の固有番号、広告主が所有している広告情報の内容を識別符号（ＩＤ、Ｐ  ／  Ｗ）化してデジタル情報提供サーバに登録し、広告情報コンテンツをデジタル情報提供サーバにアップロードして、広告情報の送出費用をデジタル情報提供サーバに獲得するための広告端末；上記タグ情報読取手段自体に付与された固有の番号、タグ情報の入力手段の固有番号は、顧客の個人情報は、顧客の識別符号（ＩＤ、Ｐ  ／  Ｗ）、広告情報に付与された識別符号（ＩＤ、Ｐ  ／  Ｗ）、広告の個人情報、広告主の識別符号（ＩＤ、Ｐ  ／  Ｗ）、広告情報の識別符号と、広告コンテンツのインデックステーブルをマッチングさせるための広告コンテンツのマッチングテーブルと広告コンテンツを格納するデータベース（ＤＢ）；前記顧客と広告主の識別コード、タグ情報読取手段の固有番号と広告情報の識別符号を登録されて、顧客にタグ情報入力手段の固有番号を登録し、上記顧客がタグ情報読取手段のタグ情報の入力手段を接触することにより、タグ情報読取手段の固有番号と、前記タグ情報読取手段に登録された広告情報の識別符号とタグ情報入力手段の固有番号は、顧客の識別コードを入力受けて、データベース（ＤＢ）から顧客情報リストをリクエストして、前記タグ情報読取手段で提供されるタグ情報の入力手段の固有番号と顧客の識別符号とのマッチングするかどうかを確認し、広告情報の識別符号に一致する広告情報をデータベースから呼び込まれた顧客に提供し、広告主が獲得した金額を課金するデジタル情報提供サーバを含むデジタルリーダーを利用した情報収集システム提供する。
【０００７】
本発明の実施例では、上記の顧客が会員登録要請時のタグ情報入力手段の一意の番号を割り当てることにより、デジタル情報提供サーバに登録するためのタグ情報入力手段登録リーダーと、前記タグ情報入力手段の位置情報をデジタル情報提供サーバに提供するための地球位置把握システム（ＧＰＳ）をさらに含むことを特徴とする。また、本発明の実施例では、デジタル情報読取手段は、ＲＦＩＤリーダー、近距離無線通信（ＮＦＣ：Ｎｅａｒ  Ｆｉｅｌｄ  Ｃｏｍｍｕｎｉｃａｔｉｏｎ）リーダー、バーコードリーダー、ＱＲコードリーダー、虹彩認証システム、または指紋リーダー、ホログラムリーダの選択された一つであることを特徴とする。
【０００８】
上記デジタル情報提供サーバは、広告主端末から広告依頼を受け付けて広告主会員を登録する広告会員登録簿；上記広告会員登録簿に、広告主は会員登録が完了した後、広告を提供するための手数料を課金するために、広告獲得金額を要求している金額を獲得部；上記の金額を獲得部を通じて積立金を実行するかが確認された後、広告情報の識別符号（ＩＤ、Ｐ  ／  Ｗ）とそれに対応する広告情報コンテンツをアップロードするためのコンテンツのアップロード部；上記タグ情報入力手段をタグ情報読取手段にタッチすることにより、上記のデータベースに格納された顧客情報とタグ情報読取手段を介して受信されたタグ情報入力手段の固有番号と個人識別符号のマッチングするかどうかを確認し、ＤＢに格納された広告コンテンツマッチングテーブルとタグ情報読取手段の固有番号、広告情報の識別符号をマッチングするかどうかを確認するマッチング部と、上記マッチング部を通じてマッチングするかどうかが確認されると、データベースの広告コンテンツマッチングテーブルから要求された広告情報コンテンツを呼び込み、顧客に送信する広告コンテンツ配信部；顧客の会員登録要求に応じて会員登録を行う顧客の会員登録簿；顧客の会員登録時のタグ情報入力手段の固有番号を登録し、タグ情報入力手段登録リーダーを介して顧客端末に提供された認証番号とタグ情報入力手段固有の番号をマッチングさせ登録するカード登録簿；顧客がタグ情報の入力手段をタグ情報読取手段にタッチして受信した広告情報を保存し、情報流ごとに分類するダウンロードリストを保存部；と広告主と顧客の会員登録時付与された識別符号（ＩＤ、Ｐ  ／  Ｗ）、ＲＦＩＤカード番号、タグ情報読取手段固有番号、広告情報の識別符号と広告情報識別符号に対応する広告コンテンツをインデックス化した広告コンテンツマッチングテーブルをデータベースに保存し、タグ情報読取手段から提供されたＲＦＩＤカード番号とタグ情報読取手段の固有番号、前記タグ情報読取手段に登録された広告情報の識別コードを受信し、データベースに格納された顧客の識別符号とマッチングするかどうかを確認して、顧客に広告情報を送信するための一連の制御手順を実行する中央制御装置；前記広告情報は、顧客に送信されると、中央制御装置から課金コマンドを実行するための課金部と、上記タグ情報入力手段をタグ情報読取手段のタッチしたときにカウントして、広告主端末に知らせるアラーム部をさらに含むことを特徴とする。
【０００９】
また、本発明は、顧客端末を介してデジタル情報提供サーバに個人会員情報登録を申請する第１段階；顧客の会員情報登録時の広告情報の受け取り方法を選択して、デジタル情報提供サーバに登録する第２段階；顧客の個人会員情報登録時のタグ情報入力手段固有の番号をデジタル情報提供サーバに登録する第３段階；広告主端末を介してデジタル情報提供サーバに広告主会員情報登録を申請し、広告を依頼して、広告の量を獲得する第４段階と、顧客が所持しているタグ情報の入力手段をタグ情報読取手段にタッチすると、上記タグ情報読取手段に入力されていたタグ情報読取手段の固有番号と広告情報の識別符号とタグ情報入力手段固有の番号がデジタル情報提供サーバに入力され、前記デジタル情報提供サーバは、ＤＢに格納された顧客情報とタグ情報入力手段固有番号と個人識別符号が一致するかどうかを判断する第５段階；前記第５のステップでは、顧客情報とタグ情報入力手段固有の番号が一致すると、広告コンテンツファイルを、顧客が指定したリポジトリに転送する第６ステップを含む、デジタルリーダーを利用した情報収集方法を提供する。
【００１０】
ここで、タグ情報の入力手段をＲＦＩＤカードにして、例えば、第１のステップは、顧客は、モバイル端末を使用する場合、会員登録アプリをダウンロードしてから会員情報の登録を行い、ＰＣ（Ｐｅｒｓｏｎａｌ  Ｃｏｍｐｕｔｅ）を利用する場合には、サーバに接続して会員情報登録を行う第１のプロセス；顧客の会員情報登録時の顧客端末に提供された認証番号とマッチングされ
るようにＲＦＩＤカードをＲＦＩＤカード登録リーダーに入力する第２のプロセス；前記ＲＦＩＤカード登録リーダーから提供されたＲＦＩＤカード番号をデータベースに保存する第３の過程を含んでいる。
【００１１】
前記第３段階のカタログ受領方法は、電子メール、ＳＮＳ、文字、アプリ、ウィジェットのプログラムの選択されたストアに受領されるように、受信パスを指定することを特徴とする。
【００１２】
前記第４のステップは、広告主端末を介してデジタル情報提供サーバに広告依頼後、広告情報コンテンツについての識別符号（ＩＤ、Ｐ  ／  Ｗ）を付与する第４過程；上記広告情報コンテンツの識別符号（ＩＤ、Ｐ  ／  Ｗ）とタグ情報読取手段に付与された固有の番号をデジタル情報提供サーバに登録する第５過程；と広告料に消費される量を獲得し、広告情報コンテンツをアップロードする第６の過程を含むことを特徴とする。
【００１３】
前記第５のステップは、顧客からの会員登録要求に応じてＩＤとＰＷを受信して会員登録を処理し、会員情報（ＩＤ  ／  ＰＷ）をＤＢに格納する第７過程；顧客の会員登録が完了すると、タグ情報の入力手段の発行を行い、タグ情報の入力手段の固有番号をサーバに登録する第８過程；上記広告主端末から登録要求されたタグ情報読取手段の固有番号の登録処理を完了し、広告主がアップロードされたカタログのコンテンツをＤＢに格納する第９過程；顧客がタグ情報読取手段のタグ情報の入力手段をタッチすると、上記タグ情報読取手段は、自分に与えられた識別符号とタグ情報入力手段の固有番号をサーバに送信する第１０過程；受信されたタグ情報入力手段の固有番号と個人識別符号と顧客情報ＩＤの一致するかどうかを確認し、一致すればタグ情報読取手段の識別符号に対応するカタログコンテンツを顧客が指定したリポジトリに送信し、そうでない場合は、顧客にタグ情報入力手段の登録の有無をメッセージを送信して、タグ情報の入力手段の固有番号の登録を誘導する第１１過程；顧客のタッチ回数のカウントを行って、広告主の預金でタッチに付与された料金だけ差し引かれる第１２過程；上記リーダーの残高をチェックするかどうかを判断し、設定金額が不足する場合リーダーにアラームを発生させ、広告主に追加入金が必要な情報を提供する第１３過程を含むことを特徴とする。
【００１４】
前記第１０過程では、サーバは、クライアントＩＤとタグ情報入力手段の固有番号のマッチングするかどうか確認した後、顧客が希望する受信形態を確認して送信する過程をさらに含むことを特徴とする。
【発明の効果】
【００１５】
上記した構成を有する本発明によると、次のような効果を実現します。まず、顧客がＲＦＩＤカードをリーダーにタッチする行為だけでカタログ、動画、画像などの広告コンテンツ情報を受信することができ、広告に利用される紙の印刷物を大幅に削減することができる。
【００１６】
第二。顧客は、自分の情報を広告主に露出させていない状態で、目的の広告コンテンツ情報のみ取得することができ、個人情報が信頼的に保護することができる。
【００１７】
第三に、顧客の端末に管理専用プログラムをインストールして、いつでも場所を問わず、広告コンテンツをダウンロードすることができ、ダウンロードされるファイルをディレクトリごとに自動的に分類することができ、効率的に管理することができる。
【００１８】
第四に、展覧会や博覧会で観覧時展示ブースやカタログベブチョの印刷物を受けなくても、そのコンテンツ情報を自動的に受信することができますので、便利に観覧することができる。
【図面の簡単な説明】
【００１９】
【図１】図１は、従来技術によるカタログオンラインサービス提供システムの概略図。
【図２】図２は、本発明によるデジタル鑑定器を利用した情報収集システムの概念図。
【図３】図３は、本発明によるデジタル鑑定器を利用した情報収集システムの一実施例を示した構成図。
【図４】図４は、本発明の要部であるデジタル情報提供サーバの詳細な構成図である。
【図５】図５は、本発明のデジタル情報提供サーバの構成を示す画面；
【図６】図６は、本発明では、顧客のカタログダウンロードプログラムを示した図である。
【図７】図７は、本発明によるデジタル鑑定器を利用した情報収集方法を示した全体フローチャート。
【図８】図８は、本発明によるデジタル鑑定器を利用した情報収集方法では、顧客端末の詳細処理過程を示した詳細フローチャート。
【図９】図９は、本発明によるデジタル鑑定器を利用した情報収集方法で、広告主端末の詳細処理過程を示した詳細フローチャート。
【図１０】図１０ａは、本発明によるデジタル鑑定器を利用した情報収集方法では、サーバの詳細処理を示した詳細フローチャートである。
【図１１】図１０ｂは、本発明によるデジタル鑑定器を利用した情報収集方法では、サーバの詳細処理を示した詳細フローチャートである。
【発明を実施するための形態】
【００２０】
本発明によるデジタル鑑定器を利用した情報収集システム及び方法の具体的な特徴と、他の利点は、添付した図２乃至図１０を参照し、以下の好ましい実施例の説明でさらに明確になるだろう。
【００２１】
本発明によるデジタル鑑定器を利用した情報収集システム及び方法は、顧客ご自身の個人情報を広告主に露出していなくても、広告主が提供した広告情報を受信することができるように実装したものである。本発明を説明する前に、広告情報に対応する電子カタログの定義と機能について簡単に説明してみようとする。
【００２２】
電子カタログは、任意の商品自体に関する情報と、その商品の取引のための情報を電子的に表現したもので、製品のさまざまな属性を含めて製造および数、発注に応じた諸情報を標準規約に合わせてデータベースに構築したシステムである。顧客の立場では、電子カタログを商品の情報を見ることができ、ご希望の商品を検索、比較することができる。また、電子カタログを介して補完／代替商品も検索することができ、このような商品を扱う業者の情報も得ることができる。これらの電子カタログは、企業間取引の根幹である電子文書交換（ＥＤＩ）はもちろん、インターネットショッピングモールなどでも幅広く活用することができる。
【００２３】
バイヤーとサプライヤーは、電子カタログを使用して取引をすることになる。バイヤーは、標準化されてよく作られた電子カタログシステムを介してアイテムの効率的な比較検索が可能になり、安価で良い製品を簡単に見つけることができます。プロバイダの場合も一目瞭然で正確な製品情報が含まれた電子カタログシステムが備わっている場合、広報やマーケティングのコストを削減し、売上向上に大きな助けを得ることができる。
【００２４】
上記した電子カタログの機能を基にした本発明の概念を図２を参照して説明すると、次の通りである。図２は、本発明によるデジタル鑑定器を利用した情報収集システムの概念図である。図に示すように、まず、その新製品や会社を知らせる目的で製作された広告情報には、識別符号（ＩＰ、Ｐ  ／  Ｗ）が付けられるようになり、ＲＦＩＤカードリーダー（１０）は、それ自体固有番号が付与されだけでなく、広告情報の識別符号が登録されている。
【００２５】
また、端末（２）を介して、顧客と広告主の個人情報、広告情報をデジタル情報提供サーバ（４）に入力し、これをＤＢ（６）に保存する。また、顧客の個人情報とマッチングされるＲＦＩＤカード（８）をデジタル情報提供サーバに登録し、次に、顧客に付与されたＲＦＩＤカード（８）をカードリーダー（１０）にタッチすると、上記デジタル情報提供サーバ（４）は、広告主の広告情報をＤＢ（６）から読み込んで、顧客が指定した保存場所（１２）は、例えば、電子メール、ＳＮＳ、ウィジェットなどの情報ストア（１２）に送信することができるようにしたものである。
【００２６】
本発明では、広告情報は、製品や会社紹介のためのカタログ、画像、ビデオ、３Ｄファイルなどのすべてのデジタルデータだけでなく、製品マニュアルなどを含んでいる。このような広告情報の受信概念を基礎にして、本発明を実施するための構成をより詳細に説明すると、次の通りである。
【００２７】
図３は、本発明によるデジタル鑑定器を利用した情報収集システムの一実施例を示した構成図であり；図４は、本発明の要部であるデジタル情報提供サーバの詳細な構成図であり；図５は、本発明のデジタル情報提供サーバの構成を示す画面であり；図６は、本発明では、顧客のカタログダウンロードプログラムを示した図である。
【００２８】
図３に示すように、機器自体の固有の番号が付与されており、タグ情報を読み込むＲＦＩＤカードリーダー（２２）（以下、「カードリーダー」と称する）と、顧客の個人情報（性別、電話番号、電子メール、ＳＮＳなど）と一致する顧客の識別符号（ＩＤ、Ｐ  ／  Ｗ）と顧客の固有番号（ＲＦＩＤカード番号）が入力されているタグ情報入力システム（本実施例では、  「ＲＦＩＤカード」と総称する）（２４）と；顧客が広告情報を受領するために会員登録に必要な顧客の個人情報（例えば、性別、電話番号、電子メール、ＳＮＳなど）と顧客の個人情報とマッチングされる顧客の識別符号（ＩＤ、Ｐ  ／  Ｗ）をデジタル情報提供サーバに登録するための顧客端末（２６）と；顧客への広告情報を提供するために会員登録に必要な広告主の個人情報（例えば、会社名、電話番号、住所、電子メールなど）、広告主の識別符号（ＩＤ、Ｐ  ／  Ｗ）、上記カードリーダー（２２）の固有番号、広告主が所有している広告情報の内容を識別符号（ＩＤ、Ｐ  ／  Ｗ）化してデジタル情報提供サーバに登録し、広告情報コンテンツを上記デジタル情報提供サーバにアップロードして、広告情報の送出コストをデジタル情報提供サーバに獲得するための広告主端末（２８）と；上記カードリーダー（２２）自体に付与された識別番号、ＲＦＩＤカード（２４）自体に付与された識別番号は、顧客会員登録時に登録された顧客の個人の身上情報（性別、電話番号、電子メール、ＳＮＳなど）は、顧客の識別符号（ＩＤ、Ｐ  ／  Ｗ）、広告情報に付与された識別符号（ＩＤ、Ｐ  ／  Ｗ）、広告主会員登録時に登録された広告主（個人、法人）の個人情報（性別、電話番号、電子メール、ＳＮＳなど）、広告識別符号（ＩＤ、Ｐ  ／  Ｗ）、広告情報の識別符号と、広告コンテンツのインデックステーブルをマッチングさせるための広告コンテンツのマッチングテーブルと広告コンテンツを格納するデータベース（ＤＢ）（３０）と；上記の顧客と広告主の識別コード、カードリーダーの一意の番号と広告情報の識別符号を登録されて、顧客にＲＦＩＤカード番号を割り当て、上記顧客がカードリーダー（２２）にＲＦＩＤカード（２４）に接触することによってカードリーダー（２２）の固有番号（Ｒｅａｄｅｒ  Ｎｏ．）と、前記カードリーダー（２２）に登録された広告情報の識別符号とＲＦＩＤカードの固有番号（ＲＦＩＤ  Ｎｏ．）、個人識別コードを入力受けて、データベース（  ＤＢ）（３０）に格納された顧客情報リストから上記カードリーダー（２２）で提供されるＲＦＩＤカード番号と個人識別符号と顧客ＩＤのマッチングするかどうかを確認し、また、広告情報識別符号に対応する広告情報をデータベース（  ３０）から呼び入れ、顧客に提供し、広告主が獲得した金額を課金するデジタル情報提供サーバ（３２）；前記顧客が会員登録要請時ＲＦＩＤカード番号を読み込んでデジタル情報提供サーバ（３２）に登録するためのＲＦＩＤカードの登録リーダー（３４）を含んでいる。
【００２９】
ここで、カードリーダー（２２）の固有番号と、前記カードリーダー（２２）に登録された広告情報の識別符号とＲＦＩＤカード固有の番号は、無線ネットワーク（３６）または有線ネットワーク（図示せず）を利用してデジタル情報を提供サーバ（３２）に入力される。また、前記カードリーダー（２２）は、ＲＦＩＤカード（２４）の位置情報をデジタル情報提供サーバ（３２）に提供するための地球位置把握システム（ＧＰＳ）（３８）と接続されている。
【００３０】
上記タグ情報の毒酔いとしてカードリーダー（２２）は、ＲＦＩＤリーダ、近距離無線通信機（ＮＦＣ：Ｎｅａｒ  Ｆｉｅｌｄ  Ｃｏｍｍｕ
ｎｉｃａｔｉｏｎ）、バーコードリーダー、ＱＲコードリーダー、虹彩認証システム、または指紋リーダー、ホログラムリーダの選択された一つであることができる。また、タグ情報の入力方式では、本発明で提示したＲＦＩＤカード（２４）のほか、上記の提示されたリーダーのタイプに相当するＮＦＣ、バーコード、ＱＲコード、虹彩、指紋、ホログラムの選択された一つであることができる。例えば、上記のタグ情報入力システム（２４）が指紋で登録されている場合は、カードリーダーは、指紋リーダーになるだろう。上記データベース（２６）に格納されているＲＦＩＤカード（２４）の固有番号は、デジタル情報提供サーバ（３２）を介して割り当てられてい顧客が会員登録時にＲＦＩＤ登録リーダー（３４）を介して登録され、顧客が広告情報の要求時ＲＦＩＤカード番号および顧客の識別符号であるＩＤ、Ｐ  ／  ＷとＤＢ（２６）に保存されている顧客情報のリストを介して、顧客ＩＤとのマッチングするかどうかを確認することができる機能をする。つまり、ＲＦＩＤカード（２４）は、顧客の会員登録時の認証を介して登録されるので、一つの顧客ＩＤは、１つのＲＦＩＤ番号のみが存在するようになる。したがって、顧客がＲＦＩＤカード（２４）をカードリーダー（２２）にタッチすると、ＦＲＩＤカード（２４）番号と個人識別符号（ＩＤ、Ｐ  ／  Ｗ）とデータベース（２６）に格納された顧客ＩＤのマッチングを介して会員かどうかを判別することになり、会員に認証されると、広告主が提供した広告情報ファイルを顧客に送信することになる。
【００３１】
広告情報を顧客に送信する一連の過程を制御する前記デジタル情報提供サーバ（２８）は、図４に示すように、広告主端末（２８）からの広告依頼を受け付けて広告主会員を登録する広告メンバー登録簿（  ４２）と；上記広告会員登録簿（４２）に、広告主は会員登録が完了した後、広告を提供するための手数料を課金するために、広告獲得金額を要求している金額を獲得部（４４）と；上記の金額を獲得部（４４）を介して積立金を実行するかが確認された後、広告情報の識別符号（ＩＤ、Ｐ  ／  Ｗ）とそれに対応する広告情報コンテンツをアップロードするためのコンテンツのアップロード部（４６）と；上記ＲＦＩＤカード（２４）をカードリーダー（２２）にタッチすることにより、上記データベース（３０）に格納された顧客ＩＤとカードリーダー（２２）を介して受信されたＲＦＩＤカード番号（２４）と、個人識別符号のマッチングするかどうかを確認で、ＤＢに格納された広告コンテンツのマッチングテーブルとカードリーダーの固有番号、広告情報の識別符号のマッチングするかどうかを確認するマッチング部（４８）と；上記マッチング部（４８）を介してマッチングするかどうかが確認されると、データベース（３０）の広告コンテンツマッチングテーブルから要求された広告情報コンテンツを呼び込み、顧客に送信する広告コンテンツ配信部（５０）と；顧客の会員登録要求に応じて会員登録を行う顧客の会員登録簿（５２）と；顧客の会員登録時ＲＦＩＤカード番号を割り当て、ＲＦＩＤカードの登録リーダー（３４）を介して顧客端末（２６）に提供された認証番号とＲＦＩＤカード番号（２４）をマッチングさせて登録するＲＦＩＤカード登録簿（５４）と；顧客がＲＦＩＤカード（２４）をカードリーダー（２２）にタッチして、ダウンロードした広告情報を保存し、情報流ごとに分類するダウンロードリストを保存部（５６）と；と広告主と顧客の会員登録時付与された識別符号（ＩＤ、Ｐ  ／  Ｗ）、ＲＦＩＤカード番号、カードリーダー固有番号、広告情報の識別符号（ＩＤ、Ｐ  ／  Ｗ）と広告情報識別符号に対応する広告コンテンツをインデックス化した広告コンテンツのマッチングテーブルをデータベース（３０）に格納し、カードリーダー（２２）から提供されたＲＦＩＤカード番号、個人ＩＤとＰ  ／  Ｗ、カードリーダー（２２）一意の番号及び前記カードリーダー（２２）に登録広告情報の識別コードを受信し、データベース（３０）に格納された顧客の個人情報とＲＦＩＤカード番号、個人ＩＤとＰ  ／  Ｗのマッチングするかどうかを確認して、顧客に広告情報を送信するための一連の制御手順を実行する中央制御装置（５８）と；上記広告情報は、顧客に送信されると、中央制御装置から課金コマンドを実行するための課金部（６０）とＲＦＩＤカード（２４）をカードリーダー（２２）にタッチしたときにカウントして、広告主端末に知らせるアラーム部（  ６２）を含んでいる。
【００３２】
上記アラーム部（６２）は、広告主が広告依頼時の広告送出カウントを認知することができるようにしたオプション機能として、カードリーダーに警報装置が装備されている。したがって、ＲＦＩＤカードのタッチかどうかに応じて、中央制御装置（５８）を介して広告送出カウントが広告主端末（２８）に送信されるものである。上記カードリーダー（２２）に通知デバイスが装着されていない場合は、デジタル情報提供サーバ（３２）のメイン画面に登載されたカウント照会メニューを介して広告送出回数を照会することができる。上記のように構成されたデジタル情報提供サーバ（３２）の構成では、サーバのメイン画面は、図５に示したとおりである。図に示すように、基本的なメニューである会員登録、ログイン、マイページ、ＦＡＱ、１：１お問い合わせは、決済、レビューなどが掲載され、この他に広告情報のリストと、ダウンロードプログラムメニューが搭載されている。広告情報リストをクリックすると、依頼された広告情報のリストのリストを見ることができる。上記デジタル情報提供サーバ（３２）の管理者モードでは、機器管理製品クラシファイド情報提供管理ができるようになっている。つまり、さまざまな製品を扱うショッピングモール（ｍａｌｌ）の場合機器の管理でカードリーダーの一意の番号を登録し、上記カードリーダーに、各製品に付与された識別符号（ＩＤ、Ｐ  ／  Ｗ）を登録して管理することができる。また、全国にチェーン店を持っているモール（ｍａｌｌ）は一人の管理者が全国に配布されている製品をカードリーダーで登録して、一括して管理することができる。つまり、一連固有番号が登録されたカードリーダーを全国の連鎖店に配布するが、カードリーダーの一連固有番号に製品１つのＩＤ、Ｐ  ／  Ｗを登録すると、どの地域でも、顧客が連鎖モールでカードリーダーをタッチしたときに登録された製品情報は、顧客に送出され、カウントされた回数を管理者が照会および確認が可能である。例えば、全国に１００店舗があるショッピングモールでは、固有の番号１〜１００がそれぞれ付与された１００台のカードリーダーが各店頭に備えられ、管理者は、これらのカードリーダーの一意の番号１〜１００のいずれかのＴＶ製品（  ＩＤ）とシリーズのアイテム（Ｓｅｒｉｅｓ  ｉｔｅｍ）（Ｐ  ／  Ｗ）を登録する。これにより、複数の地域の店舗でも同時に（または時差を置いて）ＲＦＩＤカードがカードリーダーに接触された場合は、１つのＴＶ製品についてカウントされた回数が記録され、カウントされた回数だけ課金が行われることを管理者がカウント照会メニューでカウントされた回数で確認することができ、製品の管理を容易にすることができるものである。特に、ＴＶ製品が製造中止されて、それ以上の広告が必要なく、新製品、例えばノートパソコンの広告情報を顧客に通知したい場合、カードリーダー固有の番号１〜１００個の登録されているＴＶ広告情報ＩＤ、Ｐ  ／  ＷノートパソコンのＩＤ、Ｐ  ／  Ｗに変更して運用することができる。
【００３３】
管理専用のプログラムは、図６に示すように、顧客、または広告主のメニューがあり、顧客のメニューをクリックしてすることにより、ＩＤとＰ  ／  Ｗ入力メニューとリストが表示されるように構成され、検索ウィンドウのメニューとカテゴリー別のフォルダが登録されてている。したがって、顧客がログインを行う場合は、顧客ご本人にダウンロードされたリストが表示され、顧客が表示するファイルを探した場合には、検索ウィンドウのメニューから情報流のキーワードを入力して、そのファイルを見つけることができる。
【００３４】
以下は、上記のように構成された本発明の処理を図７〜図１０を参照して詳細に説明する。図７は、本発明によるデジタル鑑定器を利用した情報収集方法を示した全体フローチャートであり；図８は、本発明によるデジタル鑑定器を利用した情報収集方法では、顧客端末の詳細処理過程を示した詳細フローチャートであり；図９は、本発明によるデジタル鑑定器を利用した情報収集方法で、広告主端末の詳細処理過程を示した詳細フローチャートであり；図１０は、本発明によるデジタル鑑定器を利用した情報収集方法では、サーバの詳細処理を示した詳細フローチャートである。
【００３５】
図７に示すように、顧客は自分の端末（２６）を介して個人情報をデジタル情報提供サーバ（３２）に記載して会員登録を申請する（Ｓ２１２）。そして、顧客はサーバ運営側から提供される管理専用のプログラム（アプリを含む）をダウンロードして実行し、広告情報の受領方法を選択して、デジタル情報提供サーバ（３２）に登録する（Ｓ２１４、Ｓ２１６）。上記カタログ情報受信方法では、本発明によって提供される管理専用のプログラムで、電子メール、ＳＮＳやウィジェットなどを接続するようにして、受信パスを指定することができる。会員登録が完了すると、認証番号が顧客の携帯電話に送信される。サーバ管理者は、顧客に出荷された認証番号を確認した後、ＲＦＩＤカードの登録リーダー（３４）にＲＦＩＤカード番号を登録した後、顧客にＲＦＩＤカードを提供することになる（Ｓ２１８、Ｓ２２０）。これらの手順を経ると、顧客のＩＤ、Ｐ  ／  Ｗと登録されたＲＦＩＤカードがマッチングされ、これらの情報がＤＢに格納される。
【００３６】
ここで、前記ＲＦＩＤカード（２４）は、サーバ運営側で会員登録された顧客に限り、無料で提供することができ、サーバ運営側で所定の金額で発行して、顧客が直接購入する方法を選ぶことができる。
【００３７】
また、本発明の実施例では、顧客が会員登録後ＲＦＩＤカード発行現場でＲＦＩＤカードを登録して受領する方法について説明しているが、このような方法でのみＲＦＩＤカードを受領することができるわけではなく、さまざまな方法で受領が可能である。一例として、顧客が個人のＰＣ端末を介してサーバに接続して会員登録をして認証番号をサーバに送信すると、上記サーバは、これを確認し、ＲＦＩＤカードを登録した後、顧客にメールで提供することができる。他の例としては、顧客が携帯電話を介して会員登録をした後、認証番号を受けて、これをサーバ管理者に提供する場合、上記サーバ運営者は、認証番号をサーバのＲＦＩＤドゥンロクランに記録して登録した後、顧客に提供したり、顧客の携帯電話に登録された認証番号をサーバオペレータが登録リーダーでスキャンした後、顧客に提供することができる。上記の登録リーダーでスキャンする場合には、認証番号がバーコードの形で、顧客の携帯電話に転送される。
【００３８】
他の方法では、顧客がＲＦＩＤカードを通常のショップで購入した場合は、サーバに接続した後、ＲＦＩＤカードに刻まれたピン番号（ＲＦＩＤカード番号とは異なります）を入力し、デジタル情報提供サーバ（３２）に送信することと、上記サーバは、これをすぐに登録処理することにより、顧客がＲＦＩＤカードを使用できるようになる。
【００３９】
上記広告主端末（３４）は、デジタル情報提供サーバ（３２）に会員情報登録を申請し、広告を依頼する（Ｓ２３０、Ｓ２３２）。また、広告主は広告料で消費される量を獲得し、（Ｓ２３４）、ＲＦＩＤカードリーダー（２２）の固有番号をデジタル情報提供サーバ（３２）に登録する（Ｓ２３６、Ｓ２３８）。また、広告主は、広告情報コンテンツの識別符号（ＩＤ、Ｐ  ／  Ｗ）を付与し、これをカードリーダー（２２）に登録して、また、カードリーダー固有番号、広告情報コンテンツの識別符号と広告コンテンツファイルが記録された広告コンテンツマッチングテーブルと広告コンテンツファイルを上記のデジタル情報提供サーバ（３２）にア
ップロードする（Ｓ２４０、Ｓ２４２）。上記アップロードされた広告コンテンツと広告コンテンツマッチングテーブルは、データベースに格納されている（Ｓ２４４）。
【００４０】
上記デジタル情報提供サーバ（３２）に、顧客と広告主の情報登録が完了してから、上記の顧客が所持しているＲＦＩＤカード（２４）をカードリーダー（２２）にタッチすると、上記カードリーダーの一意の番号と上記カードリーダーに登録されている広告情報の識別コード、ＲＦＩＤカード番号や個人識別符号がデジタル情報提供サーバ（３２）に入力される（Ｓ２５２、Ｓ２５４）。上記デジタル情報提供サーバ（３２）は、ＤＢに格納された顧客ＩＤとＲＦＩＤカード番号、個人識別符号が一致するかどうかを判断する段階を経る（Ｓ２５６）。  ＤＢ（２６）に格納された顧客ＩＤとＲＦＩＤカード番号や個人識別符号のマッチング結果マッチングされていない場合、ＲＦＩＤカードを使用不可にあることが判明する（Ｓ２５８、Ｓ２６０）。判断の結果と一致したら、カードリーダー（２２）に登録された広告情報識別符号に一致する広告情報をＤＢから呼び込み、顧客が指定した情報ストア（１２）に転送される（Ｓ２６２、Ｓ２６４）。上記カタログのコンテンツの転送が完了すると、カードリーダーにタッチされた回数がカウントされ、タッチ回数は、上記デジタル情報提供サーバ（３２）に更新されると同時に、広告主端末に送信され、アラーム部（６２）を介して、広告主に知られるようになる（Ｓ２６６、Ｓ２６８）。上記アラーム部（６２）は、選択的な事項であり、広告主がサーバからタッチ回数をリアルタイムで確認することもできる（Ｓ２７０）。
【００４１】
次は、顧客端末の詳細処理について、図８を参照して説明する。まず、図に示すように、顧客は、携帯端末を使用する場合、会員登録アプリをダウンロードしてから会員登録を行い、ＰＣを利用する場合は、サーバに接続し、Ｗｅｂブラウザなどを利用して、会員登録を行う（  Ｓ３０２、Ｓ３０４）。そして、顧客は携帯電話やＰＣに広告コンテンツ情報を分類し、リストのリストを確認できる管理専用のプログラムをダウンロードされる。会員登録に基づく情報の入力には、顧客の個人の性別、先住所、電話番号、電子メール、ＳＮＳ情報などになることがあります。
【００４２】
また、前記会員登録アプリは広告情報を受信する方法を選択たとえば、電子メール、ＳＮＳ、ウィジェット、ファックスなどで受信する方法を選択できるようになっている。  ＰＣに会員登録する場合は、管理専用のプログラムやＷｅｂブラウザを実行して、広告情報を受信する方法を選択することができる（Ｓ３０６）。
【００４３】
上記顧客が会員加入を申請することになると、上記デジタル情報提供サーバ（３２）から提供された認証番号を受信するかどうかの判断手順を経ることになる（Ｓ３０８）。認証番号が受信されない場合、再度会員登録を実施する。そして、顧客に認証番号が受信されると、顧客は会員登録時に受信した認証番号をサーバオペレータに確認させ、サーバ運営者は、ＲＦＩＤカードをカード登録リーダー（３４）を介して登録した後、ＲＦＩＤカードを顧客に提供する。  （Ｓ３１０）
【００４４】
ＲＦＩＤカードは、サーバ運営側から無料で提供したり、販売店を通じて購入が可能であり、ＲＦＩＤカードの登録リーダー（６２）を介してサーバに登録することになる。上記ＲＦＩＤカードの登録は、サーバ運営者がカードの登録リーダーで認証番号をスキャンして登録することができ、認証番号をサーバに直接記録して登録することができる。別の方法でＰＣにを通じて会員登録する場合には、認証番号をサーバに送信すると、サーバ運営者がメールでＲＦＩＤカードを送ることになる。また、前記ＲＦＩＤカードを販売店から購入した場合には、ピン番号をサーバに入力して、サーバは、あらかじめピン番号に対応するＲＦＩＤカード番号を持っているので、ピン番号を入力、すぐに使用できるようになる。
【００４５】
これらの顧客のＲＦＩＤ番号登録行為を通じて、顧客自身の情報を公開していない状態で、いつでもどこでも広告情報を受信することができる。そして、顧客は広告コンテンツを受信することができる場所を選択すると、顧客がいつでも簡単に広告情報を開いて見ることができる。上記の顧客は、会員登録と、自分が受信したカタログコンテンツを受信することができる方法、すなわち、電子メール、ＳＮＳやウィジェットなど受信できるストアをサーバに入力する。
【００４６】
次の広告主端末の詳細処理について、図９を参照して説明する。図に示すように、広告主は、端末を利用してサーバに接続して会員情報登録を行って、広告依頼をする（Ｓ４０２、Ｓ４０４）。広告主の会員情報には、会社名、管理担当者、電話番号、電子メール、ＳＮＳなどになることがあります。
【００４７】
そして、広告主自身が所持または貸与しているカードリーダー（２２）の固有番号を上記サーバ（３２）に登録し、また、広告情報コンテンツについての識別符号（ＩＤ、Ｐ  ／  Ｗ）を付与し、これをサーバ（３２）に登録する（Ｓ４０６、Ｓ４０８）。また、広告主は、カードリーダー（２２）の広告情報識別符号を登録する。  Ｓ４０８の手順を実行した後、広告申込による広告送出量をサーバ（３２）に獲得し、獲得するかどうかを判断することになる（Ｓ４１０）。本発明の実施例では、上記の課金に必要とされるタッチの回数当たりのコストを定めて毎月の支払いができるように広告料を策定することができる。つまり、預金された金額だけの顧客がタッチすると、その月の広告掲載も終了し、翌月の初日に再起動されるように定めることができる。広告料加算が確認されると、カードリーダー固有の番号と、広告情報の識別符号と広告コンテンツのファイルで構成されている広告コンテンツのマッチングテーブルと上記広告コンテンツファイルがコンテンツのアップロード部（４６）にアップロードする（Ｓ４１２）。
【００４８】
その後、デジタル情報提供サーバの詳細処理についても１０ａ及び図１０ｂを参照して説明する。図に示すように、顧客からの会員登録要求に応じて会員識別符号であるＩＤとＰＷを受信して会員登録を処理し、会員情報をＤＢに保存することになる（Ｓ５０２）。また、顧客の会員登録時の管理専用のプログラムが実行され、顧客が入力した広告情報受信方法を登録することになる（Ｓ５０４）。
【００４９】
Ｓ５０２段階的な顧客の会員登録の過程では、認証番号を発生させ、顧客に送信し、送信するかどうかを判断することになる（Ｓ５０６）。顧客から認証番号を受信すると、上記のデジタル情報提供サーバ（３２）は、カード番号を割り当てることになり、ＲＦＩＤカードの登録リーダー（３４）を介して割り当てられたＲＦＩＤカード番号を登録してＤＢに保存することになる（Ｓ５０８）  。このような過程を経て、顧客からの広告情報を受信リクエストが来ると、上記デジタル情報提供サーバ（３２）は、ＲＦＩＤカード番号、個人識別コードおよびＤＢに格納された顧客情報リストに登録された個人ＩＤのマッチングするかどうかを確認することになる。
【００５０】
本発明の実施例では、顧客の会員登録時認証番号のしゃんするＲＦＩＤカードの固有番号が割り当てられているものであり、この固有の番号をサーバに登録することにより、顧客は、すべての広告主が登録した広告情報の受信サービスを提供される。これにより、顧客の識別符号ごとに１つのＲＦＩＤカードが提供される。上記Ｓ５０２段階で広告主端末から要求された会員登録処理後、広告主に提供したカードリーダー固有番号、広告主が与えられた広告情報の識別符号と、広告コンテンツファイルを含む広告コンテンツマッチングテーブルや広告コンテンツファイルを受信してＤＢに保存する（Ｓ５１０）
【００５１】
上記のように、広告情報コンテンツのアップロードプロセスが完了した状態では、顧客がカードリーダー（２２）にＲＦＩＤカード（２４）をタッチすると、（Ｓ５１２）で、前記カードリーダー（２２）から広告情報の要求を受信することになる（Ｓ５１４  ）。上記デジタル情報提供サーバ（３２）は、カードリーダーから入力されたカードリーダー固有の番号、広告情報の識別符号とＲＦＩＤカード番号、個人識別符号を受信する。そして、ＲＦＩＤカード番号や個人識別符号に対応する顧客ＩＤのマッチングするかどうかを確認することになる（Ｓ５１６）。この時、前記デジタル情報提供サーバ（３２）は、ＤＢ（３０）からＲＦＩＤカード番号や個人識別符号と一致する顧客ＩＤを検索して、一致するかどうかを確認することになる。  Ｓ５１６段階の判断結果、ＲＦＩＤ番号と個人識別符号と、顧客ＩＤが不一致、または登録されていないカードとして認識すると、カードリーダーに使用エラーを発信することになる（Ｓ５１８）。上記ＲＦＩＤカード番号と顧客ＩＤが一致すれば、前記デジタル情報提供サーバ（３２）は、ＤＢ（３０）に格納された広告コンテンツマッチングテーブルで要求された広告情報があるかを確認する（Ｓ５２０）。確認の結果、上記広告コンテンツのマッチングテーブルに収録されていれば、広告情報の識別符号と一致する広告コンテンツファイルをＤＢから呼び込む（Ｓ５２２）。
【００５２】
そして。顧客ＩＤが必要な受信モード（文字、電子メール、ＳＮＳ、ウィジェットなど）を確認し、顧客が指定した情報ストア（１２）に広告情報を送出する（Ｓ５２２、Ｓ５２４）。例えば、上記の顧客が登録した受信方法が自分のメールである場合、顧客のメールに広告コンテンツが転送される。また、前記広告コンテンツファイルは、デジタル情報提供サーバ（３２）のダウンロードリストに保存されている（Ｓ５２６）。
【００５３】
上記広告コンテンツのマッチングテーブルに要求された広告コンテンツがない場合は、広告サービス終了と認識し、カードリーダーに広告サービス終了文字を送信する（Ｓ５２８）。上記Ｓ５２６のステップが実行完了すると、上記のデジタル情報提供サーバ（２８）は、顧客のタッチ回数のカウントを行って、広告主の預金でタッチに付与された料金を課金することになる（Ｓ５３０）。
【００５４】
上記Ｓ５３０の手順を実行した後、上記のカードリーダーの残高をチェックして保証金残高が設定金額以下かどうかを判断し（Ｓ５３２）、設定金額が不足する場合リーダーにアラームを発生させ（Ｓ５３４）、広告主に課金を要求する（Ｓ５３６）。設定金額が十分であれば引き続き受信待ちになる（Ｓ５３８）。以上で説明した本発明は、前述した実施例及び添付された図面によって限定されるものではなく、本発明の技術的思想を逸脱しない範囲内で、複数の置換、変形及び変更が可能であることは、本発明が属する技術分野で通常の知識を有する者にとって明らかであろう。
【符号の説明】
【００５５】
２：端末４、３２：デジタル情報提供サーバ６、３０：ＤＢ  ８、２４：ＲＦＩＤカード１０、２２：カードリーダー１２：インフォメーションストア２６：顧客の端末２８：広告主端末３４：ＲＦＩＤカード登録リーダー３６：無線ネットワーク３８：ＧＰＳ  ４２：広告会員登録簿４４：金額獲得部４６：コンテンツのアップロード部４８：マッチング部５０：広告コンテンツ配信部５２：顧客の会員登録簿５４：ＲＦＩＤカード登録簿５６：ダウンロードリストを保存部５８：中央制御装置６０：課金部６２：アラーム部
【図１】
2021501952.tif 000003
【図２】
2021501952.tif 000004
【図３】
2021501952.tif 000005
【図４】
2021501952.tif 000006
【図５】
2021501952.tif 000007
【図６】
2021501952.tif 000008
【図７】
2021501952.tif 000009
【図８】
2021501952.tif 000010
2021501952.tif 000011
【図９】
2021501952.tif 000012
【図１０】
2021501952.tif 000013
【図１１】
2021501952.tif 000014
【国際調査報告】
2021501952.tif 000015
2021501952.tif 000016
2021501952.tif 000017
2021501952.tif 000018